(57)【特許請求の範囲】
【請求項１】
炉頂部に主原料ホッパーの他に、副原料ホッパーを有するベルレス高炉の原料装入方法において、
鉱石とコークスの混合物は、前記副原料ホッパーに装入され、
前記混合物は、装入ベルトコンベア上に前記鉱石と前記コークスとを切り出す際に、前記鉱石の上に前記コークスが層状に積層させることで形成され、
前記副原料ホッパーは、平板でありかつ可動軸を有する整流板を一つ有し、
前記整流板は、前記平板が、前記装入ベルトコンベアからの原料装入方向に対向し、前記副原料ホッパーを、前記整流板に対して前記原料装入方向の手前側に位置する第１の領域と、前記整流板に対して前記原料装入方向の奥側に位置する第２の領域とに二分するように設置されており、
前記整流板の前記可動軸よりも上方側の部分が、前記混合物が前記装入ベルトコンベアから前記副原料ホッパー内に自由落下する間に、前記混合物の落下軌跡を二分することで、前記混合物のうちの前記コークスの前記副原料ホッパー内への装入位置を決定し、
前記整流板の前記可動軸よりも下方側の部分が、前記副原料ホッパーの排出口上部で、前記第１の領域に装入された装入物が通過する第１の排出流路と前記第２の領域に装入された装入物が通過する第２の排出流路とを形成し、前記第１の排出流路及び前記第２の排出流路のうちいずれか一方からの装入物を優先的に排出させるものであり、
前記副原料ホッパーから排出される前記混合物中の前記コークスの比率について所望の経時的変化を得るべく、前記整流板の角度を予め定めておくことを特徴とするベルレス高炉の原料装入方法。
【請求項２】
前記装入ベルトコンベア上で、前記鉱石の上に前記コークスを層状に積層するに際し、
前記装入ベルトコンベア上の全積層長さに対して、前記コークスを先頭から５０％以内に積層することを特徴とする請求項１に記載のベルレス高炉の原料装入方法。
【請求項３】
Ｃｃ、Ｃ１、Ｏ１、Ｏ２の順で実施する４バッチ装入であって、
前記Ｏ１に前記混合物を装入するに際し、
前記副原料ホッパーからの全排出時間に対し、前半５０％の排出時間に排出するコークス量を増加させることを特徴とする請求項１又は請求項２に記載のベルレス高炉の原料装入方法。
【請求項４】
Ｃｃ、Ｃ１、Ｏ１、Ｏ２の順で実施する４バッチ装入であって、
前記Ｏ１に前記混合物を装入するに際し、
前記副原料ホッパーからの全排出時間に対し、後半５０％の排出時間に排出するコークス量を増加させることを特徴とする請求項１又は請求項２に記載のベルレス高炉の原料装入方法。
【発明の詳細な説明】
【技術分野】
【０００１】
本発明は、ベルレス高炉の原料装入方法に関する。特に、炉頂ホッパー内で焼結鉱、ペレット、塊鉱石などの鉱石原料に対してコークスを混合しながら高炉内部へ装入する方法に関する。
【背景技術】
【０００２】
鉄鋼業は、温室効果ガスの一つである二酸化炭素の排出量が多いため、その排出量の削減が求められている。そこで、二酸化炭素の排出量削減などを目的として、銑鉄製造用原料として使用しているコークスの比率を低減する操業（低コークス比操業）が行われている。
通常、高炉は、焼結鉱やペレット、塊鉱石などの鉱石原料と、石炭を乾留したコークスと、を用い、鉱石原料とコークスのそれぞれを層状に装入することで、銑鉄の製造を行っている。
コークスは、高炉内において、還元材、高炉内の熱源、通気確保のためのスペーサーなど、様々な役割を担っている。低コークス比操業を実施すると、上記役割を担うコークス量が減少することになる。この場合、還元反応の遅れや、熱不足、通気性の悪化などの問題が生じることが懸念される。中でも、炉下部での通気性の悪化が特に問題となっている。これは、炉下部の鉱石溶融部が最も通気抵抗が高いことが原因と考えられる。
【０００３】
そこで、通気性を改善させるために、鉱石層にコークスを混合する、鉱石層へのコークス混合装入方法が提案されている。ここで、コークスは、通気確保のためのスペーサーとしての役割を持たせることを目的として、鉱石層内に混合される。
一方で、鉱石とコークスとでは、密度や粒径、形状などの差が存在する。このため、鉱石層へのコークス混合装入では、高炉内部への装入前の搬送設備において、コークスの偏析や分離が生じてしまう問題があった。
【０００４】
鉱石層へのコークス混合装入に関して、以下のような技術が提案されている。
装入ベルトコンベア上での鉱石類原料の搬送方向長さに対して、炉頂バンカーに装入される先頭側５０％以内にコークスを積層した状態で、原料装入する方法が開示されている（特許文献１参照）。
また、２つの炉頂バンカーにそれぞれ保持された鉱石類とコークスを同時に炉内へ装入するに際して、１バッチ分のコークス装入量が５〜５０質量％のときに、鉱石を同時に切り出すことで、コークスの中心装入と鉱石及びコークスの混合装入とを１バッチで行うことが記載されている（特許文献２参照）。
【０００５】
更に、異なる粒径の装入物を装入する技術として、ホッパー内上部に設けられ、原料装入時にホッパー内に落下してくる原料がすべて当たるように配置された衝突板と、ホッパー内下部に設けられ、原料排出時の流動パターンを変化可能な整流板とを備えた、ホッパーからの時系列排出粒度特性の調整装置が記載されている（特許文献３参照）。特許文献３によれば、ホッパーからの排出時の原料粒度を制御できる。
【先行技術文献】
【特許文献】
【０００６】
【特許文献１】特許第５３３８３０８号公報
【特許文献２】特許第４２６９８４７号公報
【特許文献３】実公平０８−３５０号公報
【発明の概要】
【発明が解決しようとする課題】
【０００７】
しかしながら、上記特許文献１では、炉頂ホッパーに装入した後のコークスの混合率の径方向分布をより均一化することは可能であるが、炉内に装入したときにコークスが偏析してしまうため、必ずしも効果的に混合層を形成することはできない。
また、上記特許文献２では、鉱石類とコークスとを混合装入する際の偏析などの問題に対応していない。
また、上記特許文献３では、コークス又は鉱石の一種類の原料における粒度を対象としており、両者を混合した混合物の装入方法については言及されていない。
【０００８】
鉱石層へのコークス混合装入をする際には、炉頂部の原料ホッパーにて均一混合を行っても、原料ホッパーから炉内への装入時には、炉半径方向に原料が偏析する、もしくは堆積時に偏析してしまうことがある。このため、必ずしも炉内に均一に混合層を作るには、炉頂部の原料ホッパー装入時に、均一化することが最適とはいえない。このため、炉頂部の混合率を制御する必要があった。
【０００９】
本発明の目的は、鉱石層へのコークス混合装入において、鉱石とコークスの混合物中のコークスの比率の経時的変化を制御することが可能な、ベルレス高炉の原料装入方法を提供することにある。
【課題を解決するための手段】
【００１０】
本発明者は、鉱石層へのコークス混合装入において、ホッパー内に整流板を設置し、この整流板の角度を変更することによって、鉱石とコークスの混合物中のコークスの比率の経時的変化を制御することが可能であることを見出し、本発明を完成させた。本発明は、かかる知見に基づくものである。
（１）炉頂部に主原料ホッパーの他に、副原料ホッパーを有するベルレス高炉の原料装入方法において、鉱石とコークスの混合物は、前記副原料ホッパーに装入され、前記混合物は、装入ベルトコンベア上に前記鉱石と前記コークスとを切り出す際に、前記鉱石の上に前記コークスを層状に積層させることで形成され、前記副原料ホッパーは、平板でありかつ可動軸を有する整流板を一つ有し、前記整流板は、前記平板が、前記装入ベルトコンベアからの原料装入方向に対向し、前記副原料ホッパーを、前記整流板に対して前記原料装入方向の手前側に位置する第１の領域と、前記整流板に対して前記原料装入方向の奥側に位置する第２の領域とに二分するように設置されており、前記整流板の前記可動軸よりも上方側の部分が、前記混合物が前記装入ベルトコンベアから前記副原料ホッパー内に自由落下する間に、前記混合物の落下軌跡を二分することで、前記混合物のうちの前記コークスの前記副原料ホッパー内への装入位置を決定し、前記整流板の前記可動軸よりも下方側の部分が、前記副原料ホッパーの排出口上部で、前記第１の領域に装入された装入物が通過する第１の排出流路と前記第２の領域に装入された装入物が通過する第２の排出流路とを形成し、前記第１の排出流路及び前記第２の排出流路のうちいずれか一方からの装入物を優先的に排出させるものであり、前記整流板の角度を変更することによって、前記副原料ホッパーから排出される前記混合物中の前記コークスの比率について所望の経時的変化を得るべく、前記整流板の角度を予め定めておくことを特徴とするベルレス高炉の原料装入方法。
（２）前記装入ベルトコンベア上で、前記鉱石の上に前記コークスを層状に積層するに際し、前記装入ベルトコンベア上の全積層長さに対して、前記コークスを先頭から５０％以内に積層することを特徴とする（１）に記載のベルレス高炉の原料装入方法。
（３）Ｃｃ、Ｃ１、Ｏ１、Ｏ２の順で実施する４バッチ装入であって、前記Ｏ１に前記混合物を装入するに際し、前記副原料ホッパーからの全排出時間に対し、前半５０％の排出時間に排出するコークス量を増加させることを特徴とする（１）又は（２）に記載のベルレス高炉の原料装入方法。
（４）Ｃｃ、Ｃ１、Ｏ１、Ｏ２の順で実施する４バッチ装入であって、前記Ｏ１に前記混合物を装入するに際し、前記副原料ホッパーからの全排出時間に対し、後半５０％の排出時間に排出するコークス量を増加させることを特徴とする（１）又は（２）に記載のベルレス高炉の原料装入方法。
【発明の効果】
【００１１】
本発明によれば、ホッパー内に整流板を設置し、この整流板の角度を変更することにより、鉱石層へのコークス混合装入において、混合物中のコークスの比率の経時的変化を制御することができる。
【図面の簡単な説明】
【００１２】
【図１】Ｃｃ、Ｃ１、Ｏ１、Ｏ２装入における装入物分布の模式図。
【図２】整流板と原料装入時の落下軌跡との関係を示す図。
【図３】模型実験装置の概略図。
【図４】副原料ホッパーの形状を示す図。
【図５】副原料ホッパーに整流板を設置した状態を示す図。
【図６】原料の切り出し条件を説明する図であり、（Ａ）は均一重ね、（Ｂ）は前半１／２重ね、（Ｃ）は中盤１／２重ね、（Ｄ）は後半１／２重ねである。
【図７】原料のサンプリング方法を説明する図。
【図８】原料切り出しを均一重ねにしたときの、副原料ホッパーから排出されるコークスの排出速度割合を示す図。
【図９】原料切り出しを前半１／２重ねにしたときの、副原料ホッパーから排出されるコークスの排出速度割合を示す図。
【図１０】原料切り出しを中盤１／２重ねにしたときの、副原料ホッパーから排出されるコークスの排出速度割合を示す図。
【図１１】原料切り出しを後半１／２重ねにしたときの、副原料ホッパーから排出されるコークスの排出速度割合を示す図。
【図１２】Ｃｃ、Ｃ１、Ｏ１、Ｏ２装入において、整流板をプラス側に傾斜させたときの混合状況を説明する図。
【図１３】Ｃｃ、Ｃ１、Ｏ１、Ｏ２装入において、整流板をマイナス側に傾斜させたときの混合状況を説明する図。
【発明を実施するための形態】
【００１３】
以下、本発明の実施形態を図面に基づいて詳細に説明する。
本実施形態におけるベルレス高炉の原料装入方法は、炉頂部に主原料ホッパーの他に、副原料ホッパーを有するベルレス高炉の原料装入方法において、鉱石とコークスの混合物は、前記副原料ホッパーに装入され、前記混合物は、装入ベルトコンベア上に前記鉱石と前記コークスとを切り出す際に、前記鉱石の上に前記コークスが層状に積層させることで形成され、前記副原料ホッパーは、可動軸を有する整流板を一つ有し、前記整流板の前記可動軸よりも上方側の部分が、前記混合物が前記装入ベルトコンベアから前記副原料ホッパー内に自由落下する間に、前記混合物の落下軌跡を二分することで、前記混合物のうちの前記コークスの前記副原料ホッパー内への装入位置を決定し、前記整流板の前記可動軸よりも下方側の部分が、前記副原料ホッパーの排出口上部で、前記整流板の下方側の部分の端部と前記副原料ホッパーの両側面との間で、所定の断面積比率を有する２つの排出流路を形成することで、前記２つの排出流路を通過する前記混合物のそれぞれの流量を決定するものであり、前記整流板の角度を変更することによって、前記副原料ホッパーから排出される前記混合物中の前記コークスの比率の経時的変化を制御することを特徴とする。
【００１４】
副原料ホッパーは、通常、炉中心部へのコークス装入に使用されている。本実施形態では、この副原料ホッパーを、炉中心部へのコークス装入だけでなく、鉱石とコークスの混合物を装入する、コークス混合装入に使用する。
コークス混合装入に使用されるコークスは、鉱石の平均粒径に対して、５倍以上の平均粒径を有する塊コークスを使用することが好ましい。粒径比が大きいほど粒度偏析が顕著となるため、本発明の効果が得やすくなる。
【００１５】
本実施形態の原料装入方法は、Ｃｃ、Ｃ１、Ｏ１、Ｏ２の順で装入する４バッチ装入に適している。このうち、Ｃ１、Ｏ２は、主原料ホッパーからの装入、Ｃｃ、Ｏ１は、副原料ホッパーからの装入である。
具体的には、Ｃｃバッチでは、コークスを装入し、炉の中心部にコークス層を形成する。次いで、Ｃ１バッチでは、コークスを装入し、炉壁部側に略水平な形状の水平型テラスと、更に、この水平型テラスの炉内側先端から炉中心部に向け下方に傾斜する傾斜コークス層を形成する。次に、Ｏ１バッチでは、鉱石とコークスの混合物を装入し、上記Ｃ１バッチの水平型テラスの上に、鉱石とコークスの混合物層を形成する。最後に、Ｏ２バッチでは、鉱石を装入し、炉壁部側に略水平な形状の水平型テラスと、更に、この水平型テラスの炉内側先端から炉中心部に向け下方に傾斜する傾斜鉱石層を形成する。
上記Ｃｃ、Ｃ１、Ｏ１、Ｏ２装入における装入物分布の模式図を図１に示す。
【００１６】
＜副原料ホッパー１への鉱石とコークスの混合物の装入＞
以下、Ｃ１、Ｏ２の主原料ホッパーからの原料装入とＣｃの副原料ホッパーからの原料装入は、従来と同様であるため省略し、Ｏ１の副原料ホッパーへの鉱石とコークスの混合物の装入を説明する。
図２に示すように、副原料ホッパー１の内部には、可動軸３を有する整流板２が一つ設置されている。ここに、整流板２の上方側の部分の端部２Ａは、自由落下する原料を二分する位置におく。また、整流板２の上方側の部分の端部２Ａの高さは、当該バッチの全原料が装入された時点で形成される堆積面の高さに合わせるのが好ましい。また、当該バッチの全原料量は、その堆積面が整流板２の上方側の部分の端部２Ａと一致する体積の１．１倍以内が好ましい。それによって、次に述べるコークス分級を十分に行わすことができる。
先ず、鉱石とコークスとを切り出す際には、混合物は、炉頂ホッパー直前の装入ベルトコンベア上にて、鉱石の上にコークスを層状に積層させることで形成される。
そして、装入ベルトコンベアから、上記層状に積層させた混合物を落下させ、副原料ホッパー１へと混合物を装入する。装入ベルトコンベアから落下させた混合物は、図２の矢印で示す、放物線の落下軌跡を描いて、整流板２の可動軸３よりも上方側の部分に衝突する。ここで、整流板２と混合物との衝突は、落下する混合物のうち、８割程度の混合物が整流板２と衝突するように、整流板２の設置位置並びに整流板２の傾斜角を調整することが好ましい。混合物は、整流板２との衝突で、平均粒径が大きく、かつ密度が小さいコークスの大部分が、装入ベルトコンベア側から見て、整流板２の奥側に位置する領域（図２中の整流板２よりも右側の領域）に装入される。また、コークスよりも細粒の鉱石は、装入ベルトコンベア側から見て、整流板２の手前側に位置する領域（図２中の整流板２よりも左側の領域）に装入される確率が高い。
これにより、混合物は、整流板２を挟んで二分され、図２に示す、ホッパーの左側の領域Ａに鉱石を多く含む装入物が、ホッパーの右側の領域Ｂにコークスを多く含む装入物がそれぞれ装入される。以下、副原料ホッパー１内に装入された混合物を、装入物として説明する。
【００１７】
＜副原料ホッパー１からの装入物の排出＞
そして、副原料ホッパー１からの装入物の排出時には、先ず、副原料ホッパー１の排出口に近い領域Ｃに装入されたものが最初に排出される。次に、排出されるのは、整流板２の可動軸３よりも下方側の部分の位置の影響を受ける。
整流板２は、副原料ホッパー１の排出口の上部において、副原料ホッパー１を２つの領域に区画する。ここで区画された領域は、上記領域Ｃを除いた領域である。そして、整流板２の可動軸３よりも下方側の部分の端部と副原料ホッパー１の両側面との間で、所定の断面積比率を有する２つの排出流路が形成されている。２つの排出流路のうち、一方の排出流路は、領域Ａの排出流路、他方の排出流路は、領域Ｂの排出流路である。
図２に示すように、整流板２の可動軸３よりも上方側の部分が、装入ベルトコンベアから離れる方向へと整流板２を傾けた状態の場合、整流板２の可動軸３よりも下方側の部分は、装入ベルトコンベア側に近接する状態に位置している。このため、排出口に至る断面積は、領域Ａの排出流路に比べて、領域Ｂの排出流路の方がその比率が大きくなる。これにより、２つの排出流路を通過する装入物のそれぞれの流量が決定される。したがって、図２に示すホッパーの右側の、領域Ｂのコークスが多く堆積した装入物が優先的に排出される。また、密度の大きい鉱石も同時に排出しようとするために、密度の大きい鉱石とコークスとが混合しながら排出されることになる。そして、最後に、ホッパーの左側の、領域Ａの鉱石が多く堆積した装入物が排出される。このように、整流板２の可動軸３よりも上方側の部分が装入ベルトコンベアから離れる方向へと整流板２を傾けた状態とすることで、副原料ホッパー１からの全排出時間に対し、前半５０％の排出時間に排出するコークス量を増加させることができる。
【００１８】
なお、副原料ホッパー１から排出された装入物は、旋回シュートを通じて順傾動にて炉内に装入される。このため、排出前期に密度の大きい鉱石とコークスとが混合しながら優先的に排出されることで、炉壁部側に混合層が形成される。そして、排出後期に細粒の鉱石が排出され、この細粒の鉱石が、上記混合層中の空隙に浸透するように入り込む。これにより、コークスと鉱石とがより混合された混合層を形成することが可能となる。
【００１９】
一方、整流板２の可動軸３よりも上方側の部分が装入ベルトコンベアに近づく方向へと整流板２を傾けた状態の場合、整流板２の可動軸３よりも下方側の部分は、装入ベルトコンベア側から離れた状態に位置している。このため、排出口に至る断面積は、領域Ｂの排出流路に比べて領域Ａの排出流路の方がその比率が大きくなる。したがって、図２のホッパーの左側の、領域Ａの鉱石が多く堆積した装入物が優先的に排出される。そして、最後に、ホッパーの右側の、領域Ｂのコークスが多く堆積した装入物が排出される。このように、整流板２の可動軸３よりも上方側の部分が装入ベルトコンベアに近づく方向へと整流板２を傾けた状態とすることで、副原料ホッパー１からの全排出時間に対し、後半５０％の排出時間に排出するコークス量を増加させることができる。
なお、排出前期に鉱石が優先的に排出され、排出後期に鉱石とコークスとが混合しながら排出されることで混合層が形成される。
【００２０】
＜コークスの比率の経時的変化の制御＞
上述の混合物の装入時及び排出時の作用により、整流板２の角度を変更することによって副原料ホッパー１からの装入物中のコークスの比率の経時的変化（混合物中のコークス比率の時間推移）を制御することができる。
【００２１】
＜高炉の操業への活用＞
整流板２の角度の変更は、副原料ホッパー１中に装入物（装入された混合物）が存在する期間では困難である。従って、副原料ホッパー１への混合物の装入と、副原料ホッパー１からの装入物の排出時とで、整流板２の角度は同じとして、整流板２の角度とコークスの比率の経時的変化とを予め定めておく。
整流板２の角度は、高炉操業に合わせて以下のように制御する。たとえば、炉壁側の通気を改善する場合には、整流板２の可動軸３よりも上方側の部分が、装入ベルトコンベアから離れる方向へと整流板２を傾ける。これにより、炉壁側へ塊コークスを堆積させる。一方、炉中心の通気を改善する場合には、整流板２の可動軸３よりも上方側の部分が、装入ベルトコンベアに近づく方向へと整流板２を傾ける。そして、Ｃバッチで形成した水平型テラスの肩へ塊コークスを装入することで、次工程のＯ２バッチでこの水平型テラスの肩部に装入した塊コークスを炉中心へ崩しこめる。
【実施例】
【００２２】
次に、実施例を挙げて本発明を更に詳しく説明する。そして、整流板の角度を変更することで、装入物中のコークスの比率の経時的変化を制御できることを実験結果に基づいて具体的に示す。なお、本発明はこれらの実施例の記載内容に何ら制限されるものではない。
＜実施例１＞
図３に示す１／５．２模型実験にて、鉱石層へのコークス混合装入における、コークスの排出挙動の検討を行った。なお、図３に示す模型実験装置において、符号１０は副原料ホッパー、符号２０は装入ベルトコンベアである。
＜副原料ホッパー＞
本実施例で使用した副原料ホッパーを、図４で説明する。図４上図は、副原料ホッパーの上面図を、図４下図は、副原料ホッパーの側面図を示す。
副原料ホッパー１０は、原料装入部１１と、テーパー部１２と、原料排出部１３とから構成されている。
原料装入部１１は、副原料ホッパー１０の上部に位置する。また、その形状は略筒状である。原料装入部１１の上端及び下端の内径寸法は６９０ｍｍ、原料装入部１１の垂直方向高さは４３０ｍｍである。
テーパー部１２は、副原料ホッパー１０の中央部に位置する。また、その形状は、逆錐台筒形状である。テーパー部１２の上端は、原料装入部１１の下端に接続されている。また、テーパー部１２の下端は、テーパー部１２の上端の中心軸よりも、装入ベルトコンベアから離れる方向に、その中心軸が設けられている。また、テーパー部１２の下端は、その外周が、原料装入部１１の中心軸に接する位置となるように設けられている。テーパー部１２の下端の内径寸法は２４０ｍｍ、テーパー部１２の垂直方向高さは３７０ｍｍである。
【００２３】
原料排出部１３は、副原料ホッパー１０の下部に位置する。原料排出部１３の上端は、テーパー部１２の下端に接続されている。原料排出部１３の下端は、原料排出部１３の上端の中心軸よりも、装入ベルトコンベアに近づく方向に、その中心軸が設けられている。原料排出部１３の下端は、その外周が、原料装入部１１の中心軸に接する位置となるように設けられている。また、原料排出部１３の下端は、原料排出部１３の上端の内径寸法よりも小さい内径寸法である。原料排出部１３の下端の内径寸法は１４０ｍｍ、原料排出部１３の垂直方向高さは２５０ｍｍである。なお、原料排出部１３の下端は、副原料ホッパー１０の排出口１４に相当し、この排出口１４には、開閉可能なゲート１５が備えられている。
【００２４】
図５は、副原料ホッパー１０に整流板１６を設置した状態を示す図である。図５（Ａ）は、整流板１６が設置された副原料ホッパー１０の断面図であり、図５（Ｂ）は、傾斜させた整流板１６を副原料ホッパー１０の上部側から見た図である。
図５（Ｂ）に示すように、整流板１６は、台形状の平板であり、上底の長さは５８０ｍｍ、下底の長さは４００ｍｍ、高さは２５０ｍｍである。また、整流板１６には、上底及び下底と平行な可動軸１７を有している。可動軸１７は、下底から上底に向かって高さ８０ｍｍの位置（上底から下底に向かって高さ１７０ｍｍの位置）に設けられている。
図５（Ａ）に示すように、整流板１６は、装入ベルトコンベアからの原料装入方向に対して平板が対向するように設置されている。また、可動軸１７は、テーパー部１２の下端の中心軸から、装入ベルトコンベア側に２０ｍｍ近づいた位置であり、また、テーパー部１２の下端から、テーパー部１２の上端に向かって垂直方向２５０ｍｍの高さに設置されている。
整流板１６は、可動軸１７を軸として、傾斜が可能に構成されている。
【００２５】
なお、本実施形態では、整流板１６の可動軸１７よりも上方が装入ベルトコンベアに近づく方向へと整流板１６を傾けることをマイナス側傾斜という。また、整流板１６の可動軸１７よりも上方が装入ベルトコンベアから離れる方向へと整流板１６を傾けることをプラス側傾斜という。
上記のように構成された副原料ホッパー１０では、整流板１６をプラス側に１５°傾斜させたとき、整流板１６の上端が、原料装入部１１とテーパー部１２との接続位置の高さとほぼ一致するように配置されている。なお、本実施例において、整流板１６の傾斜は、マイナス側傾斜が１５°、プラス側傾斜が３０°で行った。プラス側に３０°傾斜させたとき、装入ベルトコンベア２０から落下する混合物のうち、落下幅の８割程度が、整流板１６に衝突する。
【００２６】
＜原料切り出し＞
副原料ホッパー１０に装入する混合物について、コークスを装入ベルトコンベア２０上で鉱石原料に混合する際に、鉱石原料上部に積層させる混合コークスの切り出し長さを、以下の４つのパターンに変化させて実験を行った。なお、コークスは、鉱石粒径に対して５倍以上の塊コークスを使用した。
図６に、原料の切り出し方法の条件を示す。図６（Ａ）は均一重ね、図６（Ｂ）は前半１／２重ね、図６（Ｃ）は中盤１／２重ね、図６（Ｄ）は後半１／２重ねである。
・均一重ね：鉱石の上に、同じ長さでコークスを均一に積層。
・前半１／２重ね：全積層長さに対して、コークスを先頭から５０％に積層。
・中盤１／２重ね：全積層長さに対して、コークスを中盤から５０％を積層。
・後半１／２重ね：全積層長さに対して、コークスを後半の５０％に積層。
【００２７】
また、副原料ホッパー１０の構成は、以下の３つのパターンを採用した。
・副原料ホッパー１０内への整流板１６の設置なし。
・副原料ホッパー１０内に整流板１６を設置し、整流板１６をプラス側に傾斜。傾斜角度は、整流板１６の軸位置に対してプラス３０°。
・副原料ホッパー１０内に整流板１６を設置し、整流板１６をマイナス側に傾斜。傾斜角度は、整流板１６の軸位置に対してマイナス１５°。
【００２８】
また、図７に示すように、副原料ホッパー１０下部にベルトコンベア２１を設置し、このベルトコンベア２１上に複数のサンプリングボックス２２を設け、原料切り出しに合わせてサンプリングボックス２２を送り出す構成とした。そして副原料ホッパー１０から装入物（装入された混合物）を排出し、ベルトコンベア２１上のサンプリングボックス２２に装入することで、混合原料中のコークス、鉱石の質量比の経時変化を調査した。得られた結果を図８〜図１１にそれぞれ示す。
【００２９】
＜整流板プラス傾斜＞
図８〜図１１から明らかなように、整流板１６をプラス側に傾斜させた状態で混合装入した場合、原料切り出しが上記（１）〜（４）のいずれのパターンであっても、排出前期の無次元排出時間０．２〜０．４において、塊コークスが多く排出されていることが確認できる。
これは、図２に示す、副原料ホッパー１の右側に位置する領域Ｂに、粒径が大きく、かつ、密度が小さい塊コークスが偏析装入され、副原料ホッパー１からの排出時には、領域Ｂの塊コークスが偏析装入された装入物から優先的に排出された結果と推察される。
【００３０】
図１２に示すように、Ｃｃ、Ｃ１、Ｏ１、Ｏ２装入では、炉壁部から、炉中心と炉壁部との中間部までの領域において、鉱石層の層厚が厚くなることが多い。この場合には、整流板１６をプラス側に傾斜させた状態でＯ１バッチ装入を実施することが好ましい。整流板１６をプラス側に傾斜させた混合装入では、排出前期に塊コークスが多く排出される。旋回シュートからは順傾動で排出するので、図１２中の点線丸印で示す、炉壁部側の領域に、偏析装入された塊コークスが装入される。このように、上記装入方法により、還元性の向上や炉下部の通気性を改善することができる。
【００３１】
＜整流板マイナス傾斜＞
一方で、図８〜図１１から明らかなように、整流板１６をマイナス側に傾斜させた状態で混合装入した場合、排出後期の無次元排出時間０．６〜１．０において、塊コークスが多く排出されていることが確認できる。
これは、図２に示す、副原料ホッパー１からの原料排出時に、整流板２をマイナス側傾斜させることで、ホッパーの左側に位置する領域Ａに、粒径が小さく、かつ、密度が大きい鉱石が偏析装入され、副原料ホッパー１からの排出時には、領域Ａの、細粒の鉱石が偏析装入された装入物が優先的に排出された結果と推察される。
【００３２】
高炉４ダンプ操業において、Ｃｃ、Ｃ１、Ｏ１、Ｏ２で装入する高炉に対して、低コークス比操業を行うと、図１３の点線丸印で示す、Ｃｃの裾野にあたる領域のコークス層の層厚が薄くなる傾向がある。コークス層の層厚が薄い領域は通気性が悪い。この場合には、整流板１６をマイナス側に傾斜させた状態でＯ１バッチ装入を実施することが好ましい。整流板１６をマイナス側に傾斜させた混合装入では、排出後期に偏析装入された塊コークスが装入される。旋回シュートからは順傾動で排出するので、Ｏ１バッチの炉中心側の図１３中の点線丸印で示す領域Ａに、偏析装入された塊コークスが排出される。
そして、Ｏ２バッチの装入時にＯ１バッチの崩しこみを行うことで、Ｏ１バッチで偏析装入された塊コークスを、炉中心部側に流し込むことができる。これにより、コークス層の層厚の薄い、図１３中の実線丸印で示す領域Ｂに、塊コークスを多く装入することができるため、通気性の改善が見込める。
このように、整流板１６を所望の角度に傾斜させた状態で原料装入することで、一つの設備によって、装入物中のコークスの比率の経時的変化を制御することが可能になる。
【００３３】
＜前半１／２重ね＞
図８〜図１１から明らかなように、原料切り出しのパターンごとに比較すると、前半１／２重ねは、他のパターンに比べて、排出全般にわたって、均一に塊コークスが装入されていることが確認できる。このため、原料切り出しは、図９に示す、前半１／２重ねのパターンが特に好ましい。
原料切り出しを前半１／２重ねとすることで、高炉操業として、万遍なく混合される。また、原料切り出しを前半１／２重ねとし、整流板１６をプラス側に傾斜させた状態で混合装入することで、部分的に炉壁部側から中央側に多く装入することが可能となる。
【産業上の利用可能性】
【００３４】
本発明のベルレス高炉の原料装入方法は、コークス混合装入の際に、鉱石とコークスの混合物中のコークスの比率の経時的変化を制御できる。
【符号の説明】
【００３５】
１…副原料ホッパー、２…整流板、３…可動軸、１０…副原料ホッパー、１１…原料装入部、１２…テーパー部、１３…原料排出部、１４…排出口、１５…ゲート、１６…整流板、１７…可動軸、２０…装入ベルトコンベア、２１…ベルトコンベア、２２…サンプリングボックス。
【図１】
0006405877.tif 000002
【図２】
0006405877.tif 000003
【図３】
0006405877.tif 000004
【図４】
0006405877.tif 000005
【図５】
0006405877.tif 000006
【図６】
0006405877.tif 000007
【図７】
0006405877.tif 000008
【図８】
0006405877.tif 000009
【図９】
0006405877.tif 000010
【図１０】
0006405877.tif 000011
【図１１】
0006405877.tif 000012
【図１２】
0006405877.tif 000013
【図１３】
0006405877.tif 000014